(57)【特許請求の範囲】
【請求項１】
撮影指示に応じて生成された静止画像データを第１記録媒体に記録する第１記録手段と、
前記静止画像データを前記第１記録媒体とは異なる第２記録媒体に記録する第２記録手段と、
前記第１記録媒体への記録可否を判定する判定手段と、
前記判定手段により記録否が判定されている場合、前記静止画像データを前記第１記録媒体ではなく前記第２記録媒体に記録するように前記第１記録手段および前記第２記録手段を制御する制御手段と、を備え、
前記制御手段は、前記判定手段による判定が前記記録否から記録可に変化すると、前記記録否が判定されている間に前記第２記録媒体に記録した静止画像データを前記第１記録媒体に記録するように前記第１記録手段および前記第２記録手段を制御することを特徴とする撮像システム。
【請求項２】
請求項１に記載の撮像システムにおいて、
前記制御手段は、前記判定手段により記録可が判定されている場合、前記静止画像データを前記第１記録媒体に記録するように前記第１記録手段および前記第２記録手段を制御することを特徴とする撮像システム。
【請求項３】
請求項１または２に記載の撮像システムにおいて、
前記撮影指示に応じて前記静止画像データを生成する撮像手段をさらに備え、
前記撮像手段はカメラに搭載され、
前記第１記録媒体は前記カメラに着脱可能に構成されることを特徴とする撮像システム。
【請求項４】
請求項３に記載の撮像システムにおいて、
前記判定手段は、前記第１記録媒体が前記カメラに装着されていない場合を前記記録否と判定することを特徴とする撮像システム。
【請求項５】
請求項３または４に記載の撮像システムにおいて、
前記第２記憶媒体は前記カメラと異なる機器に備えられることを特徴とする撮像システム。
【請求項６】
請求項１または２に記載の撮像システムにおいて、
前記撮影指示に応じて前記静止画像データを生成する撮像手段をさらに備え、
前記撮像手段はカメラに搭載され、
前記第１記録媒体は前記カメラと異なる機器に備えられることを特徴とする撮像システム。
【請求項７】
請求項６に記載の撮像システムにおいて、
前記判定手段は、前記カメラから前記機器へ前記静止画像データを転送できない場合を前記記録否と判定することを特徴とする撮像システム。
【請求項８】
請求項６または７に記載の撮像システムにおいて、
前記第２記録媒体は前記カメラに着脱可能に構成されることを特徴とする撮像システム。
【発明の詳細な説明】
【０００１】
【発明の属する技術分野】
本発明は、撮像した画像データを記録媒体に記録する撮像システムに関する。
【０００２】
【従来の技術】
電子カメラで撮影された画像データは、電子カメラ内に設けられている記録媒体に記録される。記録媒体に記録された画像データは、電子カメラから所定のアプリケーションプログラムが実行されるパソコンなどに伝送され、パソコン側のデータ記録装置に書き込まれる。そして、パソコンで所定のアプリケーションプログラムを実行することにより、データ記録装置に書き込まれた画像データが読み出される。読み出された画像データは、パソコンに接続されているディスプレイ装置などの表示装置で表示されたり、パソコンに接続されている出力装置で印刷される。
【０００３】
【発明が解決しようとする課題】
電子カメラ内に設けられる記録媒体は、電子カメラに内蔵されるメモリの他に、電子カメラに着脱可能に設けられるＣＦカードなどのメモリカードがある。これらの記録媒体に記録できる画像データの数は、記録媒体の記録容量によって制限される。したがって、画像データが記録された結果、記録媒体の空き容量が不足すると記録媒体が使用できなくなり、新たな撮影ができないという問題があった。
【０００５】
【課題を解決するための手段】
本発明による撮像システムは、撮影指示に応じて生成された静止画像データを第１記録媒体に記録する第１記録手段と、前記静止画像データを前記第１記録媒体とは異なる第２記録媒体に記録する第２記録手段と、前記第１記録媒体への記録可否を判定する判定手段と、前記判定手段により記録否が判定されている場合、前記静止画像データを前記第１記録媒体ではなく前記第２記録媒体に記録するように前記第１記録手段および前記第２記録手段を制御する制御手段と、を備え、前記制御手段は、前記判定手段による判定が前記記録否から記録可に変化すると、前記記録否が判定されている間に前記第２記録媒体に記録した静止画像データを前記第１記録媒体に記録するように前記第１記録手段および前記第２記録手段を制御することを特徴とする。
【０００７】
【発明の実施の形態】
以下、図面を参照して本発明の実施の形態を説明する。
−第一の実施の形態−
図１は、本発明の第一の実施の形態による撮像システムの概要を表す図である。図１において、撮像システムは電子スチルカメラ１とパソコン(ＰＣ)２とがIEEE-1394ケーブル３で接続されている。電子スチルカメラ１は、ＭＰＵ１１と、ＣＦカード１２と、インターフェイス回路１３と、撮像素子１４とを有する。ＣＦカード１２は、電子スチルカメラ１に着脱可能に装着されている。電子スチルカメラ１は、撮像素子１４で撮像された画像データを所定の形式でＣＦカード１２に記録する。また、電子スチルカメラ１は、インターフェイス回路１３およびIEEE-1394ケーブル３を介して、撮影した画像データをパソコン２へ送る。電子スチルカメラ１の動作は、ＭＰＵ１１により制御される。
【０００８】
パソコン２は、ＭＰＵ２１と、記録装置２２と、インターフェイス回路２３とを有する。電子スチルカメラ１から送られる画像データは、IEEE-1394ケーブル３およびインターフェイス回路２３を介してパソコン２に取り込まれる。パソコン２に取り込まれた画像データは、記録装置２２内の所定の記録領域に記録される。パソコン２の動作は、ＭＰＵ２１により制御される。
【０００９】
図１のように、電子スチルカメラ１からパソコン２へ取り込まれる画像データは、パソコン２に接続される不図示のディスプレイ装置に表示されたり、パソコン２に接続されている不図示の出力装置で印刷されたりする。記録装置２２の記録領域は、画像データに付与されているファイル名に応じて分けられており、各ファイル名の画像データが記録装置２２内の該当する記録領域に記録される。
【００１０】
第一の実施の形態による撮像システムでは、電子スチルカメラ１で撮像された画像データが、電子スチルカメラ１のＣＦカード１２とパソコン２の記録装置２２の両方にそれぞれ記録される。電子スチルカメラ１でレリーズ操作が行われると、電子スチルカメラ１は撮影動作を開始する。撮像素子１４から出力される画像データは、ＭＰＵ１１によりＣＦカード１２に記録される。ＭＰＵ１１はさらに、インターフェイス回路１３内に設けられている転送用バッファメモリ１３１にも画像データを格納する。転送用バッファメモリ１３１に格納された画像データは、IEEE-1394ケーブル３で接続されているパソコン２のインターフェイス回路２３に設けられた転送用バッファメモリ２３１に転送されることによって、パソコン２の中に取込まれる。パソコン２に取込まれた画像データは、ＭＰＵ２１により転送用バッファメモリ２３１から読み出され、記録装置２２内の所定の記録領域に記録される。
【００１１】
上述したインターフェイス回路１３の転送用バッファメモリ１３１に格納された画像データは、パソコン２のインターフェイス回路２３の転送用バッファメモリ２３１に転送されるまで転送用バッファメモリ１３１に保持される。したがって、直ちに画像データをパソコン２に転送できない場合でも、画像データの転送が可能になった時点で転送用バッファメモリ１３１からパソコン２側へ画像データが転送される。直ちに画像データを転送できない場合とは、たとえば、次の３つがあげられる。電子スチルカメラ１とパソコン２とがIEEE-1394ケーブル３を介して接続されていなかったり、インターフェイス回路１３およびインターフェイス回路２３のいずれかに異常が生じて転送障害が発生したり、パソコン２側の記録装置２２の容量不足、メディア未装填により記録準備が整っていないなどの理由である。
【００１２】
転送用バッファメモリ１３１からパソコン２側へ画像データの転送が終了すると、ＭＰＵ１１が転送用バッファメモリ１３１内の転送済み画像データを削除する。ＭＰＵ１１は、転送終了をインターフェイス回路１３に別途設けられているフラグをチェックして検知する。そして、転送用バッファメモリ１３１に格納した画像データが転送されたか否かによって、パソコン２で記録装置２２に画像データを記録できる状態か否かを判定する。ＭＰＵ１１は、パソコン２の記録装置２２に画像データを記録できない状態と判定すると、転送用バッファメモリ１３１の画像データを削除しない。
【００１３】
電子スチルカメラ１のインターフェイス回路１３の転送用バッファメモリ１３１が１撮影分の画像データの格納領域を有する場合、転送用バッファメモリ１３１に未転送の画像データが格納されている状態で新たなレリーズ操作が行われると、ＭＰＵ１１は、転送用バッファメモリ１３１が空くまで転送すべき画像データをＣＦカード１２に記録する。この画像データは、撮影動作開始後にＣＦカード１２に記録される画像データと別に、パソコン２側に転送すべき画像データとしてＭＰＵ１１によって管理される。ＭＰＵ１１は、レリーズ操作が行われると撮影動作を行い、ＣＦカード１２に画像データを記録するとともに、パソコン２側に転送すべき画像データが転送用バッファメモリ１３１およびＣＦカード１２のいずれかに残されているかをチェックする。
【００１４】
ＭＰＵ１１は、インターフェイス回路１３の転送用バッファメモリ１３１に未転送の画像データが格納されている状態、すなわち、パソコン２の記録装置２２に画像データを記録することができない状態では、パソコン２側に記録する画像データの転送をやめる。すなわち、パソコン２側における画像データの記録が中止される。一方、ＭＰＵ１１は、インターフェイス回路１３の転送用バッファメモリ１３１が空いた状態、つまり、パソコン２の記録装置２２に画像データを記録することができる状態になると、パソコン２側に記録する画像データの転送を行う。すなわち、パソコン２側における画像データの記録が開始される。
【００１５】
パソコン２のＭＰＵ２１は、インターフェイス回路２３およびIEEE-1394ケーブル３を介して、電子スチルカメラ１のインターフェイス回路１３の転送用バッファメモリ１３１に画像データが格納されているかを監視する。画像データが格納されている場合は、格納されている画像データを受け取ってインターフェイス回路２３内の転送用バッファメモリ２３１に格納する。ＭＰＵ２１は、転送用バッファメモリ２３１から画像データを読み出し、記録装置２２の所定の記録領域に画像データを記録する。ＭＰＵ２１はさらに、転送用バッファメモリ２３１内の記録済み画像データを削除する。
【００１６】
図２は、上述した撮像システムにおける電子スチルカメラ１のＭＰＵ１１が行う処理の流れを説明するフローチャートである。図２のステップＳ１０１において、ＭＰＵ１１はレリーズ操作が行われたか否かを判定する。レリーズ操作が行われたと肯定判定するとステップＳ１０２へ進み、ステップＳ１０２で撮影処理ならびに画像データの生成処理が行われる。ステップＳ１０３において、ＭＰＵ１１は、ＣＦカード１２に画像データを記録できるか否かを判定する。ＣＦカード１２は、電子スチルカメラ１に正しく装填されていなかったり、ＣＦカード１２の記録容量が不足しているなどの理由で画像データを記録できないときがある。ステップＳ１０３で記録可と肯定判定されると、ステップＳ１０４へ進む。ステップＳ１０４において、ＭＰＵ１１がＣＦカード１２の所定の記録領域に画像データを記録する。
【００１７】
上述したステップＳ１０３で否定判定されるとステップＳ１０５へ進み、ステップＳ１０５で所定時間のタイマー処理が行われる。ステップＳ１０５においてタイムアウト判定される前(ステップＳ１０５の否定判定)は、再びステップＳ１０３へ戻って判定処理を繰り返し、ステップＳ１０５においてタイムアウト判定される(ステップＳ１０５の肯定判定)と、ステップＳ１０６に進む。ステップＳ１０６において、ＭＰＵ１１は転送用バッファメモリ１３１が空いて使用可か否かを判定する。ステップＳ１０６で転送用バッファメモリ１３１が使用可と肯定判定されると、ステップＳ１０７へ進む。ステップＳ１０７において、ＭＰＵ１１が転送用バッファメモリ１３１に画像データを格納してステップＳ１０８へ進む。
【００１８】
ステップＳ１０８において、ＭＰＵ１１は、転送用バッファメモリ１３１に格納した画像データの転送が終了したか否かを判定する。ステップＳ１０８で肯定判定されるとステップＳ１０９へ進み、ステップＳ１０９において、ＭＰＵ１１が転送用バッファメモリ１３１に格納されている転送済みの画像データを削除し、図２の処理を終了する。上述したステップＳ１０８で否定判定されるとステップＳ１１０へ進み、ステップＳ１１０において所定時間のタイマー処理が行われる。ステップＳ１１０においてタイムアウト判定される前(ステップＳ１１０の否定判定)は、再びステップＳ１０８へ戻って判定処理を繰り返し、ステップＳ１１０においてタイムアウト判定される(ステップＳ１１０の肯定判定)と、転送用バッファメモリ１３１に未転送の画像データを残して図２の処理を終了する。
【００１９】
上述したステップＳ１０６において否定判定された場合の処理について説明する。ステップＳ１０６において、転送用バッファメモリ１３１が使用できないと否定判定されるとステップＳ１１３へ進み、ステップＳ１１３において所定時間のタイマー処理が行われる。ステップＳ１１３でタイムアウト判定される前(ステップＳ１１３の否定判定)は、再びステップＳ１０６へ戻って判定処理を繰り返し、ステップＳ１１３でタイムアウト判定される(ステップＳ１１３の肯定判定)と、ステップＳ１１４へ進む。ステップＳ１１４において、ＭＰＵ１１は、転送用の画像データをＣＦカード１２に記録してステップＳ１１５へ進む。ステップＳ１１５において、ＭＰＵ１１は転送用バッファメモリ１３１が空いて使用可か否かを判定する。ステップＳ１１５において、転送用バッファメモリ１３１が使用可と肯定判定されるとステップＳ１１７へ進む。ステップＳ１１７において、ＭＰＵ１１がＣＦカード１２から転送用の画像データを読み出すとともに、ＣＦカード１２からその画像データを削除してステップＳ１０７へ進む。
【００２０】
上述したステップＳ１１５において否定判定されるとステップＳ１１６へ進み、所定時間のタイマー処理が行われる。ステップＳ１１６でタイムアウト判定される前(ステップＳ１１６の否定判定)は、再びステップＳ１１５へ戻って判定処理を繰り返し、ステップＳ１１６でタイムアウト判定される(ステップＳ１１６の肯定判定)と、ＣＦカード１２に未転送の画像データを残して図２の処理を終了する。
【００２１】
上述したステップＳ１０１において否定判定された場合の処理について説明する。ステップＳ１０１において、レリーズ操作されていないと判定されるとステップＳ１１１へ進み、転送用バッファメモリ１３１に未転送の画像データが残されているか否かを判定する。ステップＳ１１１において未転送の画像データがあると肯定判定されると上述したステップＳ１０８へ進み、ステップＳ１１１において否定判定されるとステップＳ１１２へ進む。ステップＳ１１２において、ＣＦカード１２内に未転送の画像データが残されているか否かを判定する。ステップＳ１１２において、未転送の画像データがあると肯定判定されると上述したステップＳ１１５へ進み、ステップＳ１１２において否定判定されると図２の処理を終了する。
【００２２】
図３は、上述した撮像システムにおけるパソコン２のＭＰＵ２１が行う処理の流れを説明するフローチャートである。図３のステップＳ２０１において、ＭＰＵ２１は、電子スチルカメラ１の転送用バッファメモリ１３１に画像データが格納されているか否かを判定する。ステップＳ２０１で肯定判定されるとステップＳ２０２へ進み、ステップＳ２０１で否定判定されると図３の処理を終了する。
【００２３】
ステップＳ２０２において、ＭＰＵ２１は、記録装置２２に画像データを記録可か否かを判定する。記録装置２２は、記録容量が不足しているなどの理由で画像データを記録できないときがある。ステップＳ２０２において記録可と肯定判定されるとステップＳ２０３へ進む。ステップＳ２０３において、ＭＰＵ２１は、電子スチルカメラ１の転送用バッファメモリ１３１から画像データを受け取ってインターフェイス回路２３内の転送用バッファメモリ２３１に格納し、ステップＳ２０５へ進む。なお、インターフェイス回路２３の転送用バッファメモリ２３１は、電子スチルカメラ１の転送用バッファメモリ１３１と同様に１撮影分の画像データの格納領域を有している。ステップＳ２０５において、ＭＰＵ２１は、転送用バッファメモリ２３１から画像データを読み出し、記録装置２２の所定の記録領域に画像データを記録する。ステップＳ２０６において、ＭＰＵ２１は、転送用バッファメモリ２３１内の記録済み画像データを削除して図３の処理を終了する。
【００２４】
一方、上述したステップＳ２０２において否定判定されるとステップＳ２０４へ進み、所定時間のタイマー処理が行われる。ステップＳ２０４でタイムアウト判定される前(ステップＳ２０４の否定判定)は、再びステップＳ２０２へ戻って判定処理を繰り返し、ステップＳ２０４でタイムアウト判定される(ステップＳ２０４の肯定判定)と図３の処理を終了する。
【００２５】
以上説明した第一の実施の形態によれば、次の作用効果が得られる。
（１）電子スチルカメラ１で撮像された画像データを、電子スチルカメラ１のＣＦカード１２およびパソコン２の記録装置２２の両方にそれぞれ記録するようにした。したがって、画像データを２個所に記録して管理することができるので、もしも一方の画像データが消失しても他方の画像データを使用することができる。
（２）電子スチルカメラ１のＣＦカード１２に画像データが記録できない状況では、パソコン２の記録装置２に画像データを記録するようにした。一般に、パソコン２の記録装置２２はＣＦカード１２より記録容量が大きいので、ＣＦカード１２にのみ画像データを記録する場合に比べて、たくさんの画像データを記録することができる。この結果、ＣＦカード１２の空き容量が不足しても新たな撮影をすることが可能になる。
（３）電子スチルカメラ１で撮像された画像データを直ちにパソコン２に転送して記録装置２２に記録できない状況では、パソコン２に転送する画像データを電子スチルカメラ１の転送用バッファメモリ１３１に保持するようにした。さらに、転送用バッファメモリ１３１に未転送の１撮影分の画像データが格納されている場合は、転送する画像データをＣＦカード１２に記憶するようにした。画像データをパソコン２に転送して記録装置２２に記録することが可能な状態になると、転送用バッファメモリ１３１に格納されている画像データ、およびＣＦカード１２に記録されている未転送の画像データが電子スチルカメラ１からパソコン２に転送され、記録装置２２に記録される。したがって、パソコン２側に障害が発生して画像データを記録できなくても、電子スチルカメラ１がカメラ側に画像データを記録して撮影を続けることができ、障害が復旧した時点でカメラ側に記録しておいた画像データをパソコン２の記録装置２２に記録することができる。
【００２６】
上記の説明による撮像システムでは、電子スチルカメラ１で撮像された画像データを、電子スチルカメラ１のＣＦカード１２およびパソコン２の記録装置２２の両方にそれぞれ記録するようにして、撮像された画像データを直ちにパソコン２に転送して記録装置２２に記録できない状況で、電子スチルカメラ１側に画像データを記録して撮影を続けるようにした。本発明は、電子スチルカメラ１で撮像された画像データを、パソコン２の記録装置２２のみに記録する撮像システムにも適用することができる。この場合には、電子スチルカメラ１で撮像された画像データを直ちにパソコン２に転送して記録装置２２に記録できない状況で、電子スチルカメラ１側に画像データを記録して撮影を続けるようにして、障害が復旧した時点でカメラ側に記録しておいた画像データをパソコン２の記録装置２２に記録する。
【００２７】
−第二の実施の形態−
第一の実施の形態による撮像装置は、ＣＦカード１２に画像データを記録できない場合(ステップＳ１０３の否定判定)に電子スチルカメラ１内に画像データを記録しないが、第２の実施の形態による撮像装置は、ＣＦカード１２に画像データを記録できない場合でも、後からＣＦカード１２が画像データを記録できるようになった時点で、パソコン２の記録装置２２に記録されている画像データを読み出して電子スチルカメラ１側に転送し、転送した画像データをＣＦカード１２に記録する。
【００２８】
図４は、第二の実施の形態による撮像システムにおける電子スチルカメラ１のＭＰＵ１１が行う処理の流れを説明するフローチャートである。図４において、第一の実施の形態による処理と同一の処理は、同じステップ番号で表わされている。図４と図２との相違点は、ステップＳ１０５で肯定判定された場合に行われるステップＳ１０５Ｂが追加されている点と、図２において処理が終了されていたところで、後述する図５に示す新たな処理に移行する点である。したがって、これら相違点を中心に説明する。
【００２９】
図４のステップＳ１０５において、タイムアウトしたと肯定判定されると、ステップＳ１０５Ｂへ進む。ステップＳ１０５Ｂにおいて、ＭＰＵ１１は、ＣＦカード１２に記録していない画像データの情報を登録した未記録リストを作成し、ＭＰＵ１１内の不図示のメモリにそのリストだけを記録してステップＳ１０６へ進む。
【００３０】
図５は、第二の実施の形態による撮像システムで、電子スチルカメラ１のＭＰＵ１１が行う後半の処理の流れを説明するフローチャートである。図４におけるステップ１０９の後、ステップＳ１１０で肯定判定された後、ステップＳ１１２で否定判定された後、およびステップＳ１１６で肯定判定された後の各時点において、図５のフローチャートによる処理へ進む。図５のステップＳ１５１において、ＭＰＵ１１は、ＭＰＵ１１内のメモリに上述した未記録リストがあるか否かを判定する。ステップＳ１５１において肯定判定されるとステップＳ１５２へ進み、ステップＳ１５２において、ＭＰＵ１１がインターフェイス回路１３を介して未記録リストに情報が登録されている画像データをパソコン２に要求し、ステップＳ１５３へ進む。一方、上記のステップＳ１５１において否定判定される場合は、図５の処理を終了する。
【００３１】
ステップＳ１５３において、ＭＰＵ１１は、パソコン２の転送用バッファメモリ２３１に画像データが格納されているか否かを判定する。ステップＳ１５３において肯定判定されるとステップＳ１５４へ進み、ステップＳ１５３において否定判定されると図５の処理を終了する。ステップＳ１５４において、ＭＰＵ１１は、ＣＦカード１２に画像データを記録できるか否かを判定する。ステップＳ１５４において、記録可と肯定判定されるとステップＳ１５５へ進む。
【００３２】
ステップＳ１５５において、ＭＰＵ１１は、転送用バッファメモリ２３１から画像データを受け取ってインターフェイス回路１３内の転送用バッファメモリ１３１に格納し、ステップＳ１５７へ進む。ステップＳ１５７において、ＭＰＵ１１は、転送用バッファメモリ１３１から画像データを読み出し、ＣＦカード１２の所定の記録領域に画像データを記録する。ステップＳ１５８において、ＭＰＵ１１は、転送用バッファメモリ１３１内の記録済み画像データを削除してステップＳ１５９へ進む。ステップＳ１５９において、ＭＰＵ１１が記録した画像データの情報を未記録リストから削除して図５の処理を終了する。
【００３３】
上述したステップＳ１５４において、否定判定されるとステップＳ１５６へ進み、ステップＳ１５６で所定時間のタイマー処理が行われる。ステップＳ１５６でタイムアウト判定される前(ステップＳ１５６の否定判定)は、再びステップＳ１５４へ戻って判定処理を繰り返し、ステップＳ１５６でタイムアウト判定される(ステップＳ１５６の肯定判定)と、図５の処理を終了する。
【００３４】
図６は、第二の実施の形態による撮像システムでパソコン２のＭＰＵ２１が行う処理の流れを説明するフローチャートである。第一の実施の形態による図３の処理に比べて、ステップＳ２０７〜ステップＳ２１１が追加されている。したがって、ステップＳ２０７以降を中心に説明する。図６のステップＳ２０７において、ＭＰＵ２１は、電子スチルカメラ１のＭＰＵ１１からインターフェイス回路２３に画像データの要求がきているか否かを判定する。ステップＳ２０７において肯定判定されるとステップＳ２０８へ進み、ＭＰＵ２１が記録装置２２から要求された画像データを読み出す。一方、上述したステップＳ２０７において否定判定されると、図６の処理を終了する。ステップＳ２０９において、ＭＰＵ２１は、読み出した画像データを転送用バッファメモリ２３１に格納してステップＳ２１０へ進む。
【００３５】
ステップＳ２１０において、ＭＰＵ２１は、転送用バッファメモリ２３１に格納した画像データの転送が終了したか否かを判定する。ステップＳ２１０において肯定判定されるとステップＳ２１１へ進み、ステップＳ２１１において、ＭＰＵ２１が転送用バッファメモリ１３１に格納されている転送済みの画像データを削除して図６の処理を終了する。上述したステップＳ２１０で否定判定されると、判定処理を繰り返す。
【００３６】
以上説明した第二の実施の形態によれば、電子スチルカメラ１で撮像された画像データを直ちにＣＦカード１２に記録できない状況では、画像データをパソコン２に転送して記録装置２２に記録しておくとともに、未記録の画像データの情報を登録した未記録リストを作成するようにした。電子スチルカメラ１のＣＦカード１２が画像データを記録可能な状態になると、電子スチルカメラ１がパソコン２側へ未記録リストに登録されている画像データを要求し、要求された画像データがパソコン２の記録装置２２から読み出される。この画像データは、パソコン２から電子スチルカメラ１に転送され、ＣＦカード１２に記録される。したがって、ＣＦカード１２に画像データを記録できなくても、電子スチルカメラ１がパソコン２側に画像データを転送／記録して撮影を続けることができ、ＣＦカード１２の障害が復旧した時点でパソコン２側に記録しておいた画像データをカメラ側のＣＦカード１２に記録することができる。
【００３７】
上記の説明による撮像システムでは、電子スチルカメラ１で撮像された画像データを、電子スチルカメラ１のＣＦカード１２およびパソコン２の記録装置２２の両方にそれぞれ記録するようにして、撮像された画像データを直ちにＣＦカード１２に記録できない状況で、画像データをパソコン２側に転送して記録装置２２に記録して撮影を続けるようにした。本発明は、電子スチルカメラ１で撮像された画像データを、電子スチルカメラ１のＣＦカード１２のみに記録する撮像システムにも適用することができる。この場合には、電子スチルカメラ１で撮像された画像データを直ちにＣＦカード１２に記録することができない状態で、画像データをパソコン２の記録装置２２に転送、記録して電子スチルカメラ１が撮影を続けるようにして、ＣＦカード１２の障害が復旧した時点で、パソコン２側に記録しておいた画像データを電子スチルカメラ１へ転送してＣＦカード１２に記録する。
【００３８】
また、本発明は、電子スチルカメラ１で撮像された画像データを、パソコン２の記録装置２２のみに記録する撮像システムにも適用することができる。この場合には、電子スチルカメラ１で撮像された画像データを直ちにパソコン２の記録装置２２に転送して記録することができない状態で、電子スチルカメラ１が画像データを電子スチルカメラ１のＣＦカード１２に記録して撮影を続けるようにする。パソコン２の記録装置２２への転送および記録が可能になった時点で、電子スチルカメラ１のＣＦカード１２に記録しておいた画像データをパソコン２へ転送して記録装置２２に記録する。
【００３９】
以上の説明では、撮像システムとして、電子スチルカメラ１とパソコン(ＰＣ)２とをIEEE-1394ケーブル３で接続したものを例にあげて説明したが、IEEE-1394ケーブル３の代わりに他のネットワークケーブル、あるいは、無線により送受信を行うインターフェイス装置を用いて、電子スチルカメラ１とパソコン(ＰＣ)２とを接続するものでもよい。インターフェイスとして、ＵＳＢ、Bluetooth、IrDAなどがある。いずれの場合でも、各々の電子機器間において、有線接続や無線接続にかかわらず、所定のデータ通信プロトコルで画像データを受け渡して記録する場合に、本発明を適用することができる。
【００４０】
また、電子スチルカメラ１とパソコン２とを接続する代わりに、電子スチルカメラ１とプリンタ、電子スチルカメラ１とＴＶモニター、電子スチルカメラ１と電話機などを相互に接続して構成する場合にも本発明を適用することができる。
【００４１】
さらにまた、電子スチルカメラ１の代わりに、カメラが内蔵されたパソコンなどのカメラ内蔵の電子機器を用いて構成するようにしてもよい。
【００４２】
以上の説明では、転送用バッファメモリ１３１および転送用バッファメモリ２３１がそれぞれ１撮影分の画像データを格納する領域を有するように説明したが、複数撮影分の画像データを格納する領域を有するようにしてもよい。この場合には、転送バッファメモリ１３１および２３１に格納した複数撮影分の画像データをまとめて転送することが可能になる。
【００４４】
【発明の効果】
本発明による撮像システムでは、複数の記録媒体を用いて静止画像データを適切に記録できる。
【図面の簡単な説明】
【図１】第一の実施の形態による撮像システムの概要を表す図である。
【図２】第一の実施の形態による撮像システムにおける電子スチルカメラのＭＰＵが行う処理の流れを説明するフローチャートである。
【図３】第一の実施の形態による撮像システムにおけるパソコンのＭＰＵが行う処理の流れを説明するフローチャートである。
【図４】第二の実施の形態による撮像システムにおける電子スチルカメラのＭＰＵが行う処理の前半の流れを説明するフローチャートである。
【図５】第二の実施の形態による撮像システムにおける電子スチルカメラのＭＰＵが行う処理の後半の流れ説明するフローチャートである。
【図６】第二の実施の形態による撮像システムにおけるパソコンのＭＰＵが行う処理の流れを説明するフローチャートである。
【符号の説明】
１…電子スチルカメラ、            ２…パソコン、
３…ケーブル、                  １１,２１…ＭＰＵ、
１２…ＣＦカード、                １３,２３…インターフェイス回路、
１４…撮像素子、                  ２２…記録装置、
１３１,２３１…転送用バッファメモリ
【図１】
0004586236.tif 000002
【図２】
0004586236.tif 000003
【図３】
0004586236.tif 000004
【図４】
0004586236.tif 000005
【図５】
0004586236.tif 000006
【図６】
0004586236.tif 000007